Podtech/llm-jp-corpus-v4-ja_patent huggingface dataset:
(57)【要約】      （修正有）【課題】魚のアタリがあるまでは、浮子内をミチイトが通過して仕掛けが海底へ沈み続けるが、魚のアタリがあった時は、浮子がミチイトにロックされて浮子が水中に水没し、視覚による魚信を得る。【解決手段】ミチイトに加わる魚のアタリ程度の弱い力を利用し、浮子をミチイトでロックする程度の強い力に変換するため、テコの原理を最大限利用することとし、ミチイトがテコの作用点からズレることを防止するため硬質パイプを利用し、ミチイトの通過場所を限定することにより、確実に浮子がロックされることとした。【選択図】図１
2005124555.tif 000002
【特許請求の範囲】
【請求項１】
（１）
水に浮く素材（１）の底部に前記素材（１）の浮力より軽いオモリ（２）を埋め込み、前記素材（１）の中央部には、縦に扇状空洞（８）を設け、浮力増加用浮子（４）を接着した硬質パイプ（５）の片方を鋭角に切断した面を上にして、前記扇状空洞（３）天井部面と前記硬質パイプ（５）側面が密着するように止メ具（６）を用い、支点として止め、前記硬質パイプ（５）鋭角切断面側から、ミチイト（７）を通したとき、前記硬質パイプ（５）から出て来た前記ミチイト（７）を下方に引っ張れば、テコの原理で前記硬質パイプ（５）鋭角切断面側が止メ具（６）を支点として、前記扇状空洞（３）天井部面まで上がり、前記ミチイト（７）が前記硬質パイプ（５）鋭角断面と前記扇状空洞（３）天井部面に挟まって押さえられ、前記ミチイト（７）が前記素材（１）の中を通過しないような仕組みを備えたことを特徴とする魚釣り用浮子。
【発明の詳細な説明】
【技術分野】
【０００１】  本発明は、ミチイトへの浮子止めが不要で、仕掛けが釣針と餌の重量で沈み続けるが、その仕掛けの釣針に魚が喰いつき、海底へ仕掛けを引いた時のみ浮子がロックし、水中に沈むことでアタリの判別が可能な浮子に関する。
【背景技術】
【０００２】  魚の遊泳層に浮子下を合わせるため、ミチイトにゴムや糸で浮子止めを付け、そこまで仕掛けが沈んだ時、浮子に引っ掛かり、浮子下が決まる移動浮子仕掛けと、最初からミチイトに浮子を固定している固定浮子仕掛けが一般的であるが、集魚剤の出現により、魚の遊泳層が撒餌の落下軌道と同じになってきていることから、撒餌の落下スピードと合わせて仕掛けが沈むよう浮子の浮力とオモリの重力を調整したものが、全誘導しかけと名付けられ、最近大流行しており、最も有効な仕掛けである。
【発明の開示】
【発明が解決しようとする課題】
【０００３】  先に示したそれぞれの仕掛けには、各々長所と短所があり、移動浮子仕掛けの場合、深場を探ることが出来るが、釣針のついた餌が海中にとどまるため、魚の目に触れにくく、魚の喰いつきが極端に悪く、固定仕掛けの場合、オモリの装着が不要となり、撒餌の落下するスピードと同じ速さで釣針のついた餌が沈んでいくので、魚の喰いが非常に良いが、浮子を固定する関係で、浮子下が竿の長さまでと制限され、魚が撒餌に向かって上がって来ない深場は探れないことになる。【０００４】  上記両仕掛けの長所を兼ね備えた仕掛けが、全誘導仕掛けで、撒餌の落下スピードに合わせて、釣針のついた餌を沈めることが出来、且つ、どんな深場でも探れるのであるが欠点も多い。【０００５】  最大の欠点は、浮子も含めた仕掛けが水中に沈んでしまうので、魚のアタリは竿先の感触のみで判断するしかなく、また、竿先でアタリを感じるためには、常時ミチイトを張った状態に保つ必要があることから、潮流や風力により、少しずつ引っ張られ、撒餌の落下軌道から外れていくことである。
【課題を解決するための手段】
【０００６】  仕掛けとして最も理想的な全誘導仕掛けの長所は採用し、短所は全て取り除けば完璧な仕掛けとなることから、全誘導仕掛けに魚のアタリを判別出来る浮子を取り付ければ良いが、その浮子は、二つの欠かすことが出来ない性能をもっていなければならない。【０００７】一つは、仕掛けが撒餌と同調し沈み続けること、もう一つは魚が餌のついた釣針をくわえ、海底へ引っ張った時に限り、浮子がミチイトにロックされて海中に沈む仕組みを内蔵していることである。【０００８】本発明の浮子は、その性能を備えているため、全ての課題を解決していることとなる。
【発明の効果】
【０００９】  年毎に魚が減少していく現在の釣りでは、撒餌は不可欠なものになっており、撒餌を撒いて魚を浮かせて釣るのが一般的な方法となるが、いくら撒餌を撒いても、季節や時間帯及び天気によって魚が浮くタナは異なるので、釣行当日の魚のタナを正確に予測することが釣果を左右することとなるが、本発明の浮子は、魚が仕掛けの釣針に喰いつくまで、撒餌と一緒に沈み続けることから、その日の魚のタナを予測する必要はなく、仕掛けが常時最高の状態の位置を保っているため、魚が良く釣れ、且つ、潮の流れに委ねて浮子を流すことが出来るため、ミチイトを張るなどの技術も全く不要となり、操作性に優れている。
【発明を実施するための最良の形態】
【００１０】  本発明の浮子の特徴は、釣針のついた仕掛けが、撒餌と同じスピードで魚の喰いつくところまで沈んでいき、魚が針に喰いついた時はハリスが引っ張られ浮子が沈むため、ミチイトには浮子止めをつけず、浮子に内臓した硬質パイプの鋭角切断面方向から通し、反対側から出て来たミチイトに小型のサルカンを付け、その先に釣針のついたハリスを付ければ、仕掛けは完成するが、釣行当日の風、波等天候に応じ、仕掛けの沈み具合によっては比重が海水よりわずかに大きい水中浮子をつけるなど、色々工夫することにより、臨機応変に対応が可能となる。
【産業上の利用可能性】
【００１１】  本発明浮子と同じ作用を目的とした浮子は、色々と研究されているが、複雑となっているため、部品も多く、大きさの面からも使用不可能と思われる。それに比べ、本発明浮子は、一般的な浮子と変わらない大きさで、仕組みも簡単で壊れにくく、部品も少なく、且つ、作用は従来のものよりはるかに優れており、安価で作成出来る利点がある。
【図面の簡単な説明】
【図１】  断面図  水に浮く素材（１）中央部の扇状空洞（３）内側に浮力増加用浮子（４）を接着した硬質パイプ（５）を止メ具（６）で支点として止め、ミチイト（７）を通した水中における前記硬質パイプの扇状空洞部内での位置関係を示す。
【図２】  断面図  （図１）で示した状態から硬質パイプ（５）内を通るミチイト（７）を下方へ引っ張り、前記硬質パイプが止メ具（６）を支点として下方へ下がり、前記硬質パイプ鋭角切断面が扇状空洞（３）天井部面と密着し、前記硬質パイプ内を通る前記ミチイトが挟まって押さえつけられ通過出来なくなった状態を示す。
【図１】
2005124555.tif 000003
【図２】
2005124555.tif 000004
(57)【要約】〔課題〕    コンクリート人工漁礁・消波性ブロックに凹凸をつけるとサンゴの増殖がみられるが、コストが高いなどの課題がある。〔解決手段〕  沖縄・奄美などサンゴ海域浅海においてサンゴの増殖を実施するために、約１ｍの長さに切断した鉄筋１の先端を尖らせ２、サンゴの放卵・放精前に砂泥海底地盤３に前後左右約１ｍ間隔で適地に打ち込むとともに、サンゴ虫受精卵４の自然付着を増加・安定するために、２〜３個の多段式サンゴ付着帯５を鉄筋に固着６させ、付着サンゴ虫の自然成長をまつ。    ３から５年後サンゴ付着帯を中心に自然成長したサンゴを移植するために、サンゴ付着帯毎に鉄筋を切断７し、海水に浸漬し、エアレーションしながら移植地に運搬する【選択図】  図１
2005124549.tif 000002
【特許請求の範囲】
【請求項１】
沖縄・奄美などサンゴ生育海域においてサンゴの増殖を実施するために、約１ｍの長さに切断した鉄筋１の先端を尖らせ２、サンゴの放卵・放精前に砂泥海底地盤３に前後左右約１ｍ間隔で適地に打ち込むとともに、サンゴ虫受精卵４の自然付着を増加・安定にするために、２〜３個の多段式サンゴ付着帯５を鉄筋に固着６させ、付着サンゴ虫の自然成長をまつ。
【請求項２】
３から５年後サンゴ付着帯を中心に自然成長したサンゴを移植するために、サンゴ付着帯毎に鉄筋を切断７し、海水に浸漬し、エアレーションしながら移植地に運搬する
【発明の詳細な説明】
〔技術分野〕
【０００１】    本発明は、サンゴ生育海域におけるサンゴの増殖に関するものである。
〔背景技術〕
【０００２】    サンゴ礁は、最も生産性の高い海域のひとつであり、様々な海洋生物にとって、かけがいのない生息場所となっている。また、防災機能・安定した漁場機能・景観機能を持つ。しかし、沖縄・奄美のサンゴは白化現象にみられるように９３％が被覆率５０％以下で死滅しかけている。（キャサリン・ミュウジック報告１９８４）。
そこでサンゴの白化防止対策のひとつとして増養殖技術が開発されるようになった。
【０００３】    これまでの白化防止対策としてのサンゴ増養殖技術は大別すると、過酸化水素による産卵誘発技術があるが、ミドリイシ科９種に限られ、すべての造礁サンゴに効果があるわけでもない。また、コンクリート人工漁礁・消波性ブロックに凹凸をつけるとサンゴの増殖がみられる。
〔発明の開示〕
〔発明が解決しようとする課題〕
【０００４】    解決しようとする問題点は、コンクリート人工漁礁・消波性ブロックに凹凸をつけるとサンゴの増殖がみられるが、コストが高いなどの課題がある。
〔課題を解決しょうとする課題〕
【０００５】    本発明は、サンゴの自然産卵期前に、鉄筋群を海底に打ちつけ安いコストで効率よくサンゴの増殖を図ろうとするものである。
〔発明の効果〕
【０００６】    本発明は、コストの安い鉄筋群を海底に打ち込み、サンゴの増殖を効率的に行うことができる。
〔発明を実施するための最良の形態〕
【０００７】    サンゴ虫受精卵の自然付着を容易にするため多段式の付着帯を鉄筋に固定してサンゴ増殖の効率化をはかった。
〔実施例〕
【０００８】    本発明の実施例を図１の透視図によって示す。沖縄・奄美などサンゴ海域浅海においてサンゴの増殖を実施するために、約１ｍの長さに切断した鉄筋１の先端を尖らせ２、サンゴの放卵・放精前に砂泥海底地盤３に前後左右約１ｍ間隔で適地に打ち込む。
【０００９】    サンゴ虫受精卵４の自然付着を増加・安定にするため、２〜３個の多段式サンゴ付着帯５を鉄筋に固着６させ、付着サンゴ虫の自然成長をまつ。
【００１０】    ３から５年後サンゴ付着帯を中心に自然成長したサンゴを移植するために、サンゴ付着帯毎に鉄筋を切断７し、海水に浸漬し、エアレーションしながら移植地に運搬する。
〔産業上の利用可能性〕
【００１１】    本発明は、サンゴが白化現象を起こし死滅しつつあるサンゴを増殖しサンゴを救う対策として用いることができる。しかし、オニヒトデ駆除、赤土防止対策、除草剤制限などと組み合わせて実施して初めて有効な成果を上げることができよう。
【図面の簡単な説明】
【００１２】
【図１】サンゴ増殖のため多段式サンゴ付着帯を固着した鉄筋群透視図
【符号の説明】
【００１３】１．約１ｍの長さに切断した鉄筋
２．先端をとがらせる
３．砂泥海底地盤
４．サンゴ虫受精卵
５．多段式サンゴ付着帯
６．固着
７．サンゴ付着帯毎に鉄筋切断
【図１】
2005124549.tif 000003
(57)【要約】【課題】  麺を衛生的に食べられて、節水出来る。【解決手段】  ざるに盛られた麺に直接水かお湯を噴霧して冷すか温めて、清潔に衛生的に食べられる。また水かお湯は霧状のため吐出量が少なく節水出来る。【選択図】  図４
2005124547.tif 000002
【特許請求の範囲】
【請求項１】
足（７）付きテーブル（１）の中央部分に水切り板（２）で囲いを作り、その中に排水口（３）を設ける。変形した導水管（５）に開閉ハンドル（６）と先端に噴霧ノズル（４）を付ける。そして変形した導水管（５）をテーブル（１）の端側に取り付けて噴霧ノズル（４）先端が水切り板（２）で作った囲いの中に向くように設置してなる冷、温麺用テーブル。
【請求項２】
テーブル（１）の形を三角形或は多角形または円形にして、噴霧ノズル（４）と開閉ハンドル（６）付き導水管（５）を１個以上設置した請求項１記載の冷、温麺用テーブル。
【請求項３】
噴霧ノズル（４）を導水管（５）に１個以上設置した請求項１記載の冷、温麺用テーブル。
【発明の詳細な説明】
【発明の詳細な説明】
【技術分野】
【０００１】  本発明は、ザルに麺を入れた状態で噴霧水を使って直接冷すか温めることが出来るので衛生的に食べることが出来る上に節水効果もある冷、温麺用テーブルに関するものである。
【背景技術】
【０００２】  従来、よく知られたものは流しそうめん装置がある。流しそうめん装置は円形になった水槽の中で水を勢い良く流し、その中にそうめんを流し込んで冷してお箸等ですくって食べている。
【発明が解決しようとする課題】
【０００３】  従来の流しそうめん装置は最初に円形になった水槽の中を清掃してから、水を一定量まで満たした後そうめんを入れ、何人かが同じ水槽の流水中にお箸を入れ食べる。流水を作る為に水は常時出してあり水槽から溢れている。水槽の中を清掃する時と、何人かの人が同じ水槽の中にお箸を入れて食べる事は現実的にも精神的にも非衛生的であり、また水を出したままにするので大量に使用するという問題点があった。
【０００４】  本発明は，ザルに盛られた麺がテーブルに運ばれた時に導水管に付いた開閉レバーを操作出来るので、水切り板で囲った内側にザル入りの麺を置いた時に開閉レバーを開いて直接噴霧して衛生的に食べることが出来る。そして水槽に水を満たす必要が無く、水かお湯は先端ノズルから霧状になって噴射されるので使用量は激減出来ることを目的としている。
【課題を解決するための手段】
【０００５】  上記目的を達成するために、本発明の冷、温麺用テーブルは噴霧ノズルと開閉ハンドルを付けた導水管と水切り板で囲いのあるテーブルからなるものである。
【０００６】  また導水管に取り付けた噴霧ノズルの先端部分が水切り板で作った囲い内に向いて噴霧出来るように導水管を変形する事が好ましい。
【０００７】  また導水管に付けた開閉ハンドルはテーブル上面より上に設置して自由に開閉出来る位置が好ましい。
【０００８】  また噴霧ノズルが目ずまりした時に取替えできるように、取り外し出来る事が好ましい。
【０００９】  また水切り板で囲いを作った内部には水がたまるので、テーブル一面に水漏れしないように水切り板を取り付けることが好ましい。
【００１０】  そして導水管を水道管か温水器に接続する事が好ましい。
【発明を実施するための最良の形態】
【００１１】  発明の実施の形態を実施例にもとずき図面を参照して説明する。
図１・２においては、テーブル１に水切り板２を接合して漏水しない様に囲いを作る。そして囲いの中にたまった水かお湯を外部に出すための排水口３を設ける。またテーブルの一端に噴霧ノズル４と開閉ハンドル６を取り付けた導水管５を設置する。【００１２】  図３に示される実施例では、噴霧ノズル４を取り替え出来るように連結部８を設けてある。【００１３】  図４に示される実施例では、ザル９に入った麺１０に、導水管５に付けた開閉ハンドル６を開いて噴霧している状態である。
【発明の効果】
【００１４】  本発明は、以上説明したように構成されているので、以下に記載されるような効果を奏する。
【００１５】  水を貯める必要が無いので水槽内の掃除はしなくて良く、ザルに入った麺を、水かお湯を直接噴霧し冷すか温めて食べる事が出来て衛生的である。
【００１６】  麺が運ばれて来た時に導水管に付いた開閉ハンドルを操作出来るし、噴霧ノズルからは霧状の水かお湯が出るので節水できる。
【図面の簡単な説明】
【図１】冷、温麺用テーブルの平面図である。
【図２】冷、温麺用テーブルの側面図である。
【図３】噴霧ノズルと導水管の接合部の側面図である。
【図４】冷、温麺用テーブルにざる入り麺を置いた時の側面図である。
【符号の説明】
１    テーブル
２    水切り板
３    排水口
４    噴霧ノズル
５    導水管
６    開閉ハンドル
７    テーブル足
８    連結部
９    ざる
１０  麺
【図１】
2005124547.tif 000003
【図２】
2005124547.tif 000004
【図３】
2005124547.tif 000005
【図４】
2005124547.tif 000006
(57)【要約】【課題】無漂白干瓢を使用し干瓢本来のうま味を残したまま、結び用干瓢としての破断強度を強化させる。又、洗浄による作業不備を解消することにより食品メーカーの安全性と簡便性の向上を追及することを課題とした。【解決手段】一定量の無漂白干瓢を一定量の溶液に浸漬することによって水分比率を一定にすることにより切れにくい干瓢とし、異物除去し、凍結する。そして、食品メーカーにおいて解凍後すぐに結び作業に入れるようにした。【選択図】図１
2005124545.tif 000002
【特許請求の範囲】
【請求項１】
定量の無漂白干瓢を定量の溶液に浸漬し、水戻し後異物検査を行い、凍結する製造方法。
【請求項２】
浸漬溶液にカルシウムを添加し、干瓢の破断強度を上げる請求項１の製造方法。
【請求項３】
浸漬溶液に調味料を加え、干瓢に下味を付ける請求項１の製造方法。
【発明の詳細な説明】
【発明の詳細な説明】
【技術分野】
【０００１】この発明は無漂白の干瓢を一定量の溶液に浸漬し、水分比率を一定にし、異物を除去し、凍結することによって食品メーカーの安全性と機能性と簡便性を向上させる結び用干瓢の製造方法に関するものである。
【背景技術】
【０００２】日本で干瓢は昆布巻き、巾着、ロールキャベツ等において「結び」の役割として使われている。現在販売されている干瓢は硫黄くん蒸により漂白されており、二酸化硫黄最大残存量５０００ｐｐｍを含み、そのまま「結び」に使用すると二酸化硫黄残存により人体に悪影響を及ぼす可能性があると同時に食品衛生法に違反する可能性がある。又、漂白干瓢の二酸化硫黄を除去するための洗浄により水分比率が不均一になり干瓢が切れやすく、結び用干瓢として不向きであり、うま味も損なわれていた。古来、干瓢の戻し汁は精進料理の最高の出しとして利用されていたが、干瓢を漂白するようになってからは出しとして利用できなくなった。
【発明が解決しようとする課題】
【０００３】これは次のような欠点があった。
（イ）漂白干瓢の洗浄による作業性の不備
（ロ）漂白干瓢には二酸化硫黄の残留があった。
（ハ）洗浄により水分比率が不均一になり干瓢が切れやすくなっていた。
（ニ）洗浄によりうま味が損なわれていた。
本発明はこれらの欠点を除くためになされたものである。
【課題を解決するための手段】
【０００４】一定量の無漂白干瓢を一定量の溶液に浸漬することにより水分比率を一定にし、破談強度を均一化し切れにくい干瓢とする。さらに異物除去し、凍結する。
【発明の実施形態】
【０００５】以下、本発明の実施の形態について説明する。
（イ）無漂白の干瓢を一定量の干瓢と一定量の溶液に浸漬させる。
（ロ）水戻し後、目視、マグネット、金属探知機により異物を除去する。
（ハ）凍結機にて凍結する。
【発明の効果】
【０００６】本発明は以上のようであり、無漂白干瓢であるために人体に安全であり、水分比率を一定にすることにより切れにくい干瓢とした。これは結び用干瓢として最適でありうま味も損ねることはない。又、浸漬用溶液に一定量のカルシウムを添加することにより、さらに破断強度が上がり、浸漬用溶液に調味料を添加することにより結び用味付け干瓢を作ることが出来る。これは食品メーカーの安全性と機能性と簡便性の向上につながる。
【図面の簡単な説明】
【０００７】
【図１】本発明の斜視図である。
【符号の説明】
【０００８】１  容器
２  溶液
３  干瓢
【図１】
2005124545.tif 000003
(57)【要約】〔課題〕  栽培植物の中でも、野菜等の一般作物では、チツソ分は肥料として充分に施せば、根より吸収されて、生育に供されて、収穫につながる。  しかし、植物の含有成分を主として、多量に要求される、ハーブ、薬味植物、薬草等の栽培においては、含有成分に多量のチツソを含むために、チツソが不足する場合が多く、さらに多くの活性高いチツソが要求される。〔解決手段〕  ガラス室内で噴霧器を用いることにより、水分子の流れによって、チツソを活性化して、水にとけた活性チツソが多量に植物に吸収され、化学反応を溶易にして、含有成分が多量に合成され、多量に収穫される様にする。【特許請求の範囲】
【請求項１】
ガラス温室等において、温度、肥料、日照量等を植物に好適にして、栽培植物を、良好な状態で栽培する。この好適条件下での栽培過程において、ガラス温室内全般にわたって細かい噴霧がいきわたる様に、いくつかの噴霧用スプリンクラーを設置して、噴霧水を散布して、生育を調節する。
噴霧水により活性チツソを増し、含有成分を増加して、品質の良いものを収穫し、生産しようとする、ガラス室栽培法。
【発明の詳細な説明】
【技術分野】
【０００１】  本発明は、ガラス温室等の栽培において、噴霧水を利用して、栽培植物の含有成分を増す、方法に関するものである。
【背景技術】
【０００２】  従来、ガラス温室栽培における水やりは、ジョロや、スプリンクラー散水によるのが広く行われており、一般的である。
【発明の開示】
【発明が解決しようとする課題】
【０００３】  スプリンクラー等で充分散水をし、他の温度、肥料、日照等の栽培条件を良好にすれば、一般作物では、充分良く育ち、収穫が充分得られる。
しかし、植物の含有する成分が特に多いことが要求される。ハーブ、薬味植物薬草等の栽培においては、更に多くの含有成分が要求され、一般栽培では充分な品質のものを収穫しがたい面をもっている。
【課題を解決するための手段】
【０００４】  この課題を解決するために、次の手段を発見した。
含有成分の多い収穫物が要求される栽培植物をうまく栽培するために、スプリンクラー散水の水粒を、さらに細かくして、噴霧散水とする。
噴霧散水を導入することによって、植物全体の生育が良好になるばかりでなく、含まれる有効含有成分の量も増加して収穫され効果が顕著になる。
【発明の効果】
【０００５】  チツソは、不活発な気体で、他の物質と化合したり、吸収されたりしにくい、不活性な気体であり、分子である。
この不活性である理由は主に、チツソ原子をとりまいている電子の運動が不活発であるからである。このチツソ原子の電子は、水分子の活発な動きによって活発になり、電子の軌道をスムースに高速に回る様になる。５．武村（２０００）．
この様な性質から、空気中にあるチツソは、噴霧散水の水分子の活発な活動に刺激されて、活性チツソとなり、水にとけて、植物に吸収されやすくなる。
他方、植物は、チツソを肥料として吸収して育つから、吸収されやすい肥料を充分与えれば、普通の栽培植物は充分に生育し、収穫される。しかし、含有成分が収穫の対象となる栽培植物では、チツソの量が不足し、不充分となりやすい。
それは、植物の含有する有効成分は、いずれもチツソ原子を多く含んでいるために、普通のチツソ肥料の他に、もっと効率良く吸収され、体内で化成効率の良い活性の高いチツソ分が要求される。
噴霧散水によって、空中のチツソ原子の電子の運動が速かになり、活性チツソとなり、吸収されやすい形となったチツソ分が多量に生ずる。
噴霧散水によって生ずる活性高く吸収されやすい多量のチツソ分子は、栽培植物の根や、葉の表面から多量に吸収されて、化成に関与して、含有成分が多量に生成されて、収穫量が総合的に増加して、有効に含有成分の増収になる。
【発明を実施するための最良の形態】
【０００６】  栽培植物のうち、香り、風味、味、薬味、薬成分等の有効成分を収穫の目的の一つとするハーブ類、辛味、苦味、酸味、薬味類、薬草類等の栽培において、ガラス室内で栽培し、噴霧施水を主として栽培管理する。
噴霧散水によって栽培植物の施水とチツソ施用を充分多目にして、含まれる有効成分を多く増加して、収穫の量と質を向上させる。
【実施例１】
【０００７】  お茶やハーブあるいは薬草の栽培をガラス室でする場合、収穫や生育に合わせて、噴霧散水をスプリンクラー散水に合わせ加えると、生育良好となり、植物体が柔らかくなり、含まれる有効成分も増加して、風味、薬味等も増加してくる。
(57)【要約】      （修正有）【課題】リードに巻き付けて手のこすれ防止に使用するグリップを提供すること。【解決手段】グリップ１端面部３には留め部材５が、一方の端面部４にも留め部材６が設けられており、これら留め部材５及び６により、該グリップ自体をリードにある程度の余裕を持たせて巻き付けて留める事により、リードに沿って前後に自由に移動可能としたことを特徴とする。【選択図】図２
2005124561.tif 000002
【特許請求の範囲】
【請求項１】
リード（２）に巻き付けて手のこすれ防止に使用するグリップであって、該グリップ端面部（３）には留め部材（５）が、一方の端面部（４）にも留め部材（６）が設けられており、これら留め部材（５）及び（６）により、該グリップ自体をリード（２）にある程度の余裕を持たせて巻き付けて留める事により、リード（２）に沿って前後に自由に移動可能としたことを特徴とするリードこすれ防止グリップ（１）。
【発明の詳細な説明】
【発明の詳細な説明】
【産業上の利用分野】
【０００１】  本発明は、犬用のリードに関し、リード長さ調節時に手のひらがこすれるリード部に脱着、移動可能なグリップを施したことで、手のひらのこすれによる痛みを無くすグリップに関するものである。
【背景技術】
【０００２】  現在犬の散歩時等に使用される引き紐、いわゆるリードは、リードの片方が人の手首を通す輪っか状となっており、もう一方の端部は犬に取り付けられている首輪やハーネス等と連結して留めるためのフック状の金具等が設けられている。
リードを使用すると例えば右手首をリードの輪っかに通すと、左手でたずなの様にリードの長さを調節することになる。その長さ調節は犬の動き具合に応じて頻繁に左手のひらの中でリードをすべらしたり、握ったり、緩めたりとかなりの移動量、つまりかなり手のひらがリードでこすれるため、一回の散歩が終わると左手の手のひらが赤くこすれて痛みが生じるほどであった。
【発明が解決しようとする課題】
【０００３】  しかしながら、このリードのこすれによる痛みを防止するには手袋をはめるぐらいしか方法はなく、夏場には暑く、又手袋をはめたままだと、散歩中での糞の始末の際等で手袋が邪魔になるという欠点があった。
【発明が解決しようとする課題】
【０００４】  本発明は上記課題に鑑みなされたもので、リードの長さ調節の際の手のひらのこすれによる痛みをなくすことが出来、脱着も簡単なリードこすれ防止グリップを提供するものである。
【課題を解決するための手段】
【０００５】  上記課題を解決するために本発明は、グリップ（１）の各端面部（３）及び（４）にそれぞれ留め部材（５）及び（６）を設けておき、リード（２）に沿って前後に自由に移動が出来る程度の余裕を持たせてリード（２）に該グリップ（１）を巻き付けて留めるようにしたものである。
【作用】
【０００６】  本発明は以上の構成であるから、該リードこすれ防止グリップ（１）を握り、長さ調節することにより、リードの手のひらへのこすれを防止できる。
【実施例】
【０００７】  以下、本発明の実施例を図１、図２、図３、図４、図５、図６及び図７で説明するが、これによって本発明は限定されるものではない。
リードこすれ防止グリップ（１）には予め、該グリップ端面部（３）には留め部材（５）としてのオス側ホックが、一方の端面部（４）には留め部材（６）としてのメス側ホックを設けておく。
なお、本発明に設けられる留め部材（５）、（６）の位置は、図２のごとく留め部材（５）が内側面、留め部材（６）が外側面に設けられた場合、リード（２）に巻き付けて留められると図４の矢印断面部つまり、図５の断面のように形成される。又図３のように、留め部材（５）及び（６）が同じ内側面に設けられると図６の断面のように形成される。
又、図５、図６の断面に示されるように、リード（２）と本発明のリードこすれ防止グリップ（１）の間には、リード（２）に沿って前後に自由に移動出来る程度の隙間が有る。
【発明の効果】
【０００８】  本発明のリードこすれ防止グリップ（１）は、以上のような構造であるため、リードの長さ調節時に生じるリード（２）と手のひらのこすれによる痛みが無くなる。
もちろんグリップ（１）がリード（２）に沿って移動している時、グリップ（１）を強く握りしめたり、緩めることによって簡便にリード（２）の長さ調節が出来る。
本発明で言うリード（２）とは、犬の引き紐のことであり、布製、革製、樹脂製等で出来ており、犬の引き紐としての役目を果たすものであれば、その素材、形状、長さ、太さ等も特に限定されない。
【０００９】  グリップ（１）の形状や素材自体もリード（２）に巻き付けて手で握れるものであれば、なんら限定されることはない。例えば布製、革製、樹脂製等加工しやすいものが好ましいが、特にリード（２）が直接こすれる内面側をナイロン等のようにすべりやすいものとして２層構造にしても良い。
更に手を握りやすいよう端面部（３）及び（４）の真ん中付近を少し切り欠いても良い。
【００１０】  グリップ端面部（３）及び（４）に予め設けられる留め部材（５）及び（６）は、ホック、マジックテープ、ひっかけ金具等が上げられるがこれも特に限定されることはない。
なお、図７の様にリード（２）の太さがある程度わかっていれば、ゴム、樹脂製のように予め手の握りに沿うよう凹凸を設けて、リード（２）を通す穴が開けられている成形品であってもよく、形状、厚み、大きさ、デザイン、材質、製造方法等はリード（２）の移動に対してのある程度の強度を持つものであれば特に限定されることはない。
【図面の簡単な説明】
【００１１】
【図１】  本発明の１実施例を示す斜視図である。
【図２】  本発明のグリップを展開した１実施例を示す斜視図である。
【図３】  本発明のグリップを展開した１実施例を示す斜視図である。
【図４】  本発明においてリードにグリップを巻き付けた１実施例を示す斜視図である。
【図５】  本発明の１実施例を示す断面図である。
【図６】  本発明の１実施例を示す断面図である。
【図７】  本発明の一体成形された１実施例を示す斜視図である。
【符号の説明】
１  リードこすれ防止グリップ    ２  リード    ３  端面部
４  端面部    ５  留め部材    ６  留め部材
【図１】
2005124561.tif 000003
【図２】
2005124561.tif 000004
【図３】
2005124561.tif 000005
【図４】
2005124561.tif 000006
【図５】
2005124561.tif 000007
【図６】
2005124561.tif 000008
【図７】
2005124561.tif 000009
(57)【要約】【課題】保管性や組立性に優れ、狭い隙間に床面から浮かせた状態でセットすることもできる粘着式害虫捕獲具を提供する。【解決手段】弾性を有するシート状基板１の片面に粘着剤２を定着させ、その表面を剥離紙３で覆い、基板１の一方の端部に切込による舌片４を、他方の端部にスリット５をそれぞれ形成し、剥離紙３を捲って粘着剤２を露出させ、粘着剤２の露出面が内側となるように基板１を円筒状に丸めて、舌片４をスリット５に差し込み、基板の両端部を係合させた状態で使用する。押し縮めるように狭い隙間に床面から浮かせて挿入すると、基板１が弾性により隙間の両側面に密着し、その摩擦で落下が防止される。【選択図】図３
2005124532.tif 000002
【特許請求の範囲】
【請求項１】
弾性を有するシート状基板の片面に粘着剤を定着させ、その表面を剥離紙で覆い、基板の一方の端部に切込による舌片を、他方の端部にスリットをそれぞれ形成し、剥離紙を捲って粘着剤を露出させ、粘着剤の露出面が内側となるように基板を円筒状に丸めて、舌片をスリットに差し込み、基板の両端部を係合させて使用する粘着式害虫捕獲具。
【発明の詳細な説明】
【技術分野】
【０００１】
この発明は、ゴキブリ等の害虫の捕獲に使用する粘着式の捕獲具に関するものである。
【背景技術】
【０００２】
一般に、粘着式の害虫捕獲具は、板紙を折り曲げて組み立てた箱体の周囲に、害虫が進入する複数の開口部を形成し、箱体の底壁上に、害虫を捕獲する粘着剤を塗布した構成とされており、床面に置いたり、壁面に貼り付けたりして使用される。
【０００３】
また、狭い隙間を動き回る害虫を捕獲するため、下記特許文献１には、粘着剤を塗布した台紙を、その塗布面が内側となるように筒形に折り曲げて、台紙の両端部を糊付し、筒形の形状を適宜変形させて、隙間に挿入できるようにしたものが記載されている。
【特許文献１】実開昭６３−１９１１７２号公報
【発明の開示】
【発明が解決しようとする課題】
【０００４】
しかしながら、上記特許文献１では、保管や組み立てを考慮した具体的な構成は示されておらず、また、飲食店の厨房の衛生調査のように、狭い隙間に床面から浮かせた状態でセットしておくという使用方法も想定されていないため、そのような使用法に対応した構成も示されていない。
【０００５】
そこで、この発明は、保管性や組立性に優れ、狭い隙間に床面から浮かせた状態でセットすることもできる粘着式害虫捕獲具を提供しようとするものである。
【課題を解決するための手段】
【０００６】
上記課題を解決するため、この発明に係る害虫捕獲具は、弾性を有するシート状基板の片面に粘着剤を定着させ、その表面を剥離紙で覆い、基板の一方の端部に切込による舌片を、他方の端部にスリットをそれぞれ形成し、剥離紙を捲って粘着剤を露出させ、粘着剤の露出面が内側となるように基板を円筒状に丸めて、舌片をスリットに差し込み、基板の両端部を係合させて使用するようにしたのである。
【発明の効果】
【０００７】
このように構成すると、基板を扁平に伸ばした状態で積み重ねた状態で保管しておくことができ、使用する際には、糊付等を行うことなく組み立てられる。そして、組立状態で押し縮めるように狭い隙間に挿入すると、基板が弾性により隙間の両側面に密着し、その摩擦で落下が防止されるので、床から浮かせた状態でセットできる。
【発明を実施するための最良の形態】
【０００８】
以下、この発明の実施形態を添付図面に基づいて説明する。
【０００９】
図１に示すように、この害虫捕獲具は、弾性を有するポリプロピレン等のシート状のプラスチックや板紙等を材料として、長方形状の基板１を形成し、その片面に粘着剤２を定着させ、粘着剤２の表面を剥離紙３で覆い、基板１の一方の端部に内向きの舌片４を切込により形成し、他方の端部にスリット５を形成したものとされている。
【００１０】
このように、基板１を扁平に伸ばした組立前の状態では、積み重ねて保管しても嵩張らないので、スペースを有効に利用でき、また、粘着剤２が剥離紙３で覆われているので、基板１同士が貼り付くこともない。
【００１１】
上記のような状態から害虫捕獲具を組み立てて使用する際には、図２に示すように、基板１から剥離紙３を捲って、粘着剤２を露出させる。
【００１２】
次に、図３に示すように、粘着剤２の露出面が内側となるように基板１を円筒状に丸めて、舌片４をスリット５に差し込み、基板１の両端部を係合させる。この係合により、基板１は、糊付等を行うことなく、丸めた状態に保持される。
【００１３】
そして、上記のように組み立てた害虫捕獲具を、図４に示すように、押し縮めるように狭い隙間に挿入すると、基板１が弾性により隙間の両側面に密着し、その摩擦で落下が防止されるので、床から浮かせた状態でセットでき、害虫を効果的に駆除できるほか、厨房の衛生調査を行うこともできる。
【図面の簡単な説明】
【００１４】
【図１】この発明の実施形態に係る害虫捕獲具の保管状態を示す斜視図
【図２】同上の剥離紙を捲る状態を示す斜視図
【図３】同上の組立状態を示す斜視図
【図４】同上の狭い隙間に挿入した状態を示す断面図
【符号の説明】
【００１５】
１  基板
２  粘着剤
３  剥離紙
４  舌片
５  スリット
【図１】
2005124532.tif 000003
【図２】
2005124532.tif 000004
【図３】
2005124532.tif 000005
【図４】
2005124532.tif 000006
(57)【要約】【課題】  消費者のニーズ、設置場所に合わせたデザインにした薄型テレビのテレビ台を提供する【解決手段】  テレビ台（２）を消費者のニーズに合わせた形、人気キャラクタ人形や設置場所の雰囲気、デザインに合わせた形、商業施設ではサービスマークやロゴマーク、商品の形にして、薄型テレビ（１）を装着する。【選択図】  図１
2005124115.tif 000002
【特許請求の範囲】
【請求項１】
薄型テレビのテレビ台をキャラクタ、人形、ロゴマーク、サービスマークなど消費者の求める形にし、薄型テレビと一体となったテレビ台
【発明の詳細な説明】
【技術分野】
【０００１】  本発明は、消費者のニーズ、設置場所に合わせたデザインにした薄型テレビのテレビ台を提供する。
【背景技術】
【０００２】  従来の薄型テレビのテレビ台は、置いたり、はめ込んだりするためだけの形であり、またそれが目的であった。
【発明の開示】
【発明が解決しようとする課題】
【０００３】  従来のテレビ台は、薄型テレビ製造者又は販売者が提供するデザインであり、消費者のデザインに対する意見を取り入れることは難しかった。【０００４】  商業施設では、販売促進ツールとして薄型テレビを使用することがあるが、映像として流すソフトによってテレビ台を替えることは難しかった。【０００５】  また、従来の同じ画面大きさのブラウン管テレビ、ＣＲＴディスプレイよりも高価な場合が多い薄型テレビをテレビ台の外見で差別化、個性を出すことは出来なかった。【０００６】  本発明は、これらの欠点を解決する為になされたものである。
【課題を解決するための手段】
【０００７】  テレビ台（２）を消費者のニーズに合わせた形、例えば人気キャラクタ人形や設置場所の雰囲気、デザインに合わせた形、商業施設ではサービスマークやロゴマーク、商品の形にして、薄型テレビ（１）を装着する。
【発明の効果】
【０００８】  本テレビ台によって消費者の意見に沿ったものを製造することができる。【０００９】  設置場所のデザインとの調和とインテリアとしての効果を大きくすることができ、個性的なテレビ台を提供することができる。【００１０】  商業施設においては、独自の宣伝効果を演出することができ他施設との差別化を図ることが出来る。
【図面の簡単な説明】
【図１】本発明の正面図である。
【符号の説明】
１  薄型テレビ      ２  キャラクタ人形
【図１】
2005124115.tif 000003
(57)【要約】【課題】  携帯電話にメールを発信するサービスは実施されているが、ホームページと連動して複数の店舗が共同でメール会員を集めることは従来されていなかった。【解決手段】  携帯電話を使用して、店舗（お客様）の情報をホームページにすばやく更新することができ、複数の店舗が共同でメール会員を募集したり、複数の店舗がそのホームページ上のメール会員を共有し、効果的な「お知らせ」や各店舗が魅力的なＰＲキャンペーンを効果的に行うことにより、来店頻度や、イメージアップにもつながり、顧客のリピーター化（固定客化）を図ることができると思われます。またアドレスを打ち込んだ店舗が必ず画面の左上端に表示されるようにすることによって、店舗の宣伝力が大きくＰＲされることになります。（ホームページ上の画面で複数の店舗が表示される左上から見る習慣がある為）【選択図】図１
2005124110.tif 000002
【特許請求の範囲】
【請求項１】
携帯電話からホームページにサーバを通して伝送することによって、素早くホームページの内容を更新することができると同時に、ホームページ上の画面で複数の店舗が表示される時に、アドレスを打ち込んだ店舗が必ず画面の左上端に表示されるようにすることによって、店舗の宣伝力が大きくＰＲされることになります。（左上から見る習慣がある為）
【発明の詳細な説明】
【背景技術】
【０００１】携帯電話にメールを発信するサービスは実施されているが、ホームページと連動して複数の店舗が共同でメール会員を集めることは従来されていなかった。
このサービスは新規事業の開拓と、顧客のリピーター化（固定客化）を加速することができるので、大きな力を発揮し、相乗効果をもたらすものと思われる。
【発明の効果】
【０００２】携帯電話を使用して、店舗（お客様）の情報をホームページにすばやく更新することができる。
このサービスを使用することによって、複数の店舗が共同でメール会員を募集したり、複数の店舗がそのホームページ上のメール会員を共有し、効果的な「お知らせ」や各店舗が魅力的なＰＲキャンペーンを効果的に行うことにより、来店頻度や、イメージアップにもつながり、顧客のリピーター化（固定客化）を図ることができると思われます。
【図面の簡単な説明】
【０００３】
【図１】システムの全体を示す。▲１▼手書きした文書や図など（ＰＯＰ）をＦＡＸを使い送信する。その後店舗管理者（送信元）に確認メールが返信される。１．お客様へのメール送信２．ホームページの更新（携帯及びＰＣより）３．お客様へのメール送信、ホームページの更新のいずれかを選択することによって、事前に登録されたお客様の携帯電話に情報を配信することができるまた、本サービスに含まれる書き換え掲示板を利用することによって、自由に画像をホームページにアップ及び変更することができる。
【図１】
2005124110.tif 000003
(57)【要約】【課題】棚板が棚受けからはずれにくく、棚板の厚みが代わっても対応できる棚受けを提案する。【解決手段】本発明請求項１記載の棚受けは、基部と棚受け部からなり、基部は裏面に掛け留め部材に挿入される挿入部と表面には棚板の跳ね上がりを阻止する押さえ部が設けられ、正面壁には複数の係止凸条が一定間隔で設けられ、棚受け部背面には前記基部の係止凸条に係合する係合凸条が設けられたもので、棚受け部と基部の押さえ部の間隔を適宜調整することができるので、厚みの異なる棚板に対応することが容易であり、棚板が跳ね上げられてはずれるということがない。【選択図】        図１
2005124653.tif 000002
【特許請求の範囲】
【請求項１】
棚受けは、基部と棚受け部からなり、基部は裏面に掛け留め部材に挿入される挿入部と表面には棚板の跳ね上がりを阻止する押さえ部が設けられ、正面壁には複数の係止凸条が一定間隔で設けられ、棚受け部背面には前記基部の係止凸条に係合する係合凸条が設けられた
【発明の詳細な説明】
【技術分野】
【０００１】
本発明は、壁面などに付設され、物品を載置するための棚を設けることができるパネルシステムに於いて、特に異なる厚みの棚板を用いて容易に棚を形成することができる棚受けに関する。
【背景技術】
【０００２】
【特許文献１】特開２００２−２７６１２３号公報  従来、物品を壁面に陳列するための掛け留め部材が種々用いられていた。特開２００２−２７６１２３号公報には開口部が細長状の薄型形状掛け留め用部材とアクセサリーパーツが提案されている。
【発明の開示】
【発明が解決しようとする課題】
【０００３】
しかしながら上記の如き薄型形状掛け留め部材に於いては、棚を構成したとき開口部に挿入された棚受けは棚を跳ね上げる方向に応力が係っても溝から離脱しにくくなっているものの、棚受けが棚板からはずれやすいという問題があった。
【０００４】
そこで本発明者は従来の欠点に鑑み鋭意研究の結果、棚板が棚受けからはずれにくく、棚板の厚みが代わっても対応できる棚受けを提案するものである。
【課題を解決するための手段】
【０００５】
本発明請求項１記載の棚受けは、基部と棚受け部からなり、基部は裏面に掛け留め部材に挿入される挿入部と表面には棚板の跳ね上がりを阻止する押さえ部が設けられ、正面壁には複数の係止凸条が一定間隔で設けられ、棚受け部背面には前記基部の係止凸条に係合する係合凸条が設けられたもので、棚受け部と基部の押さえ部の間隔を適宜調整することができるので、厚みの異なる棚板に対応することが容易であり、棚板が跳ね上げられてはずれるということがない。
【発明の効果】
【０００６】
上述の如く、本発明請求項１記載の棚受けは、基部と棚受け部からなり、基部は裏面に掛け留め部材に挿入される挿入部２３と表面には棚板の跳ね上がりを阻止する押さえ部が設けられ、正面壁には複数の係止凸条が一定間隔で設けられ、棚受け部背面には前記基部の係止凸条に係合する係合凸条が設けられたもので、棚受け部と基部の押さえ部の間隔を適宜調整することができるので、厚みの異なる棚板に対しても係止凸条の係合位置を変えるだけで対応することが容易であり、基部に設けられた押さえ部が棚板の上面に当接されるので、棚板が跳ね上げられてはずれるということがない。
【発明を実施するための最良の形態】
【０００７】
以下、図面を参照しながら本発明に付いて説明する。
図１は本発明棚受けの使用状態を示す断面図であり、図２は本発明棚受けの側面図である。１は棚受け部であり２は基部である。基部２の裏面に形成された挿入部２３は掛け留め部材３の挿入溝に挿入されている。棚受けの棚受け部１の上には棚板５が載置され、この棚板５の上面には基部２に設けられた押さえ部２２が当接されている。掛け留め部材３の正面には壁面パネル４が設けられ、内装面となされている。
【０００８】
棚受けは棚受け部１と基部２からなり、基部２の正面に設けられた係止凸条２１と棚受け部１の背面に設けられた係止凸条１１が係合固定されている。基部２正面に設けられた係止凸条２１は上方に向けて傾斜され、棚受け部１に設けられた係止凸条１１は下方に向けて傾斜されている。基部２に設けられた係止凸条２１は棚受け部１に設けられた係止凸条１１と等しい間隔で、互いの係止凸条１１、２１の係合位置を変えることにより、棚受け部１と押さえ部２２の間隔が調整できる。棚受け部１と基部２は適宜材料から作製されればよいが、適度な強度と美麗な形状が得られやすいアルミ合金型材が好適に用いられる。
【０００９】
掛け留め部材３は胴縁に木ねじなどで固着され、挿入部が前方に突出されている。掛け留め部材３の正面には掛け留め部材３の挿入溝のみを露出させるように壁面パネル４が設けられている。掛け留め部材３の挿入溝は本実施例では水平に突出されているが、この例に限るものではなく稍々上方に向けて傾斜するように設けられても良い。掛け留め部材３は適宜材料から作製されればよいが、適度な強度と美麗な形状が得られやすいアルミ合金型材が好適に用いられる。
【００１０】
掛け留め部材３正面に設けられる壁面パネル４は、合板やプラスターボードの表面にクロスが貼着されたものなどが一般に用いられる。本発明にの棚受けに対応する掛け留め部材３は壁面パネル４に覆われ、挿入溝が露出されるのみであるので、居室などの内装面に用いられても違和感がない。
【００１１】
本発明棚受けに載置される棚板５は、木板やガラス板、アクリル板など適宜材質の板が好適に用いられる。
【産業上の利用可能性】
【００１２】
本発明棚受けは、居室などの住宅の内装壁面や店舗の内装壁面に好適に用いられ、物品を載置する棚を構成することができる。
【図面の簡単な説明】
【００１３】
【図１】本発明棚受けの使用状態を示す断面図である。
【図２】本発明棚受けの側面図である。
【符号の説明】
【００１４】
１    棚受け部
１１  係止凸条
２    基部
２１  係止凸条
２２  押さえ部
２３  挿入部
３    掛け留め部材
４    壁面パネル
５    棚板
【図１】
2005124653.tif 000003
【図２】
2005124653.tif 000004
(57)【要約】      （修正有）【課題】鍋の大きさを選ばず拡張または縮小して使用ができ、更に分解洗浄組み立てが容易にできるフリ−サイズ式鍋蓋Ａを提供する。【解決手段】板１にコ部１ａを設け、該コ部１ａに板７や板６が挿入されることで板１と板７（板６）の隙間を少なくし、更に主軸ネジ９よりツマミ８を着脱して、鍋蓋Ａの分解で板１から板７までの重なり部分の洗浄が簡単にでき、衛生的になった。【選択図】図１
2005124689.tif 000002
【特許請求の範囲】
【請求項１】
それぞれ孔を有する７枚の板の外周の１端がリベットで係止された一連の板と主軸ネジ
とツマミより構成され、各板の孔に主軸ネジを貫通させてツマミで係着し、蓋板１に設け
たコ部１ａに蓋板７を挿入して蓋板１と蓋板７に発生する隙間を少なくすると共に鍋蓋を
任意の大きさに調整できる。
以上の構成よりなるフリ−サイズ式中華鍋蓋。
【発明の詳細な説明】
【技術分野】
【０００１】
本発明は、フリ−サイズ式中華鍋蓋（以降、鍋蓋と言う）で、それぞれ孔を有する７枚
の蓋板の外周の１端がリベットで係止された一連の鍋板（以降、板と言う）と主軸ネジと
ツマミより構成されている鍋蓋。該鍋蓋は、主軸ネジとツマミで締めたり緩めたりして使
用者の意思どおりに自由に大きさの可変がでる鍋蓋に関するものである。
【背景技術】
【０００２】
従来のフリ−サイズ式鍋蓋は、主軸ネジとツマミが軸着されており分解ができない。そ
の為、板と板の隙間の洗浄ができず径年と共に異臭を発生し非衛生的であつた。更に、中
華鍋に使用した場合、一連の板（鍋蓋）が自然に縮径されて中華鍋底の方に落ちてしまい
用を無さないこたが多かった。
【特許文献１】実開昭５２−９７２６３
【特許文献２】実開昭６３−１８９２７
【発明の開示】
【発明が解決しようとする課題】
【０００３】
これは、次のような欠点があった。
それぞれ孔を有する７枚の板で、外周の１端がリベットで連結された各板と主軸ネジと
ツマミより構成された鍋蓋で分解ができない。その為、板と板の重なり部分の洗浄ができ
ず径年と共に異臭を発生し非衛生的であった。また、主軸ネジとツマミと板で構成されて
いる鍋蓋を中華鍋に使用すると、該鍋蓋は自然に縮径されて鍋底まで落ちてしまい用を無
さないことがあった。
本発明は、これらの問題点を解決するために研究をすすめた。
【課題を解決するための手段】
【０００４】
本発明は、その欠点を除くために考えたたもので、これを図面にて説明すれば。
それぞれ孔を有する７枚の板の外周の１端がリベットで係止された一連の板と主軸ネジ
とツマミより構成され、各板の孔に主軸ネジを貫通させてツマミで係着し、板（１）に
設けたコ部（１ａ）に板（７）を挿入して板（１）と板（７）に発生する隙間を少なくす
ると共に鍋蓋を任意の大きさに調整できる。更に、着脱が容易な主軸ネジとツマミから構
成され、板と板の重なり部分の洗浄を可能にした衛生的な鍋蓋。
本発明は、以上のような構成よりなるフリ−サイズ式中華鍋蓋。
【発明の効果】
【０００５】
簡単に分解洗浄組み立てができる鍋蓋Ａは、着脱が容易な主軸ネジとツマミから構成さ
れており、蓋板と蓋板の重なり部分の洗浄を可能にした。
【０００６】
ツマミを回転させて各板を緩めることで、必要とする大きさに簡単に設定ができる。ま
た、ツマミの締めつけで板の縮径係止により中華鍋底の方に落ちていかない。また、板に
設けたコ部（１ａ）に板（７）を挿入することで、板（１）と板（７）の隙間を少なくで
きた。また、ツマミを着脱するだけで分解が容易にできて、いままで困難であった各板の
重なり部分の洗浄が簡単にできて衛生的になった。更に、コンパクとにななるので収納が
便利。また、フライパンの蓋にも使用ができる。
【発明を実施するための最良の形態】
【０００７】
以下、本発明の実施の形態について説明する。
（イ）板１から板７の外周の１端をリベット（１ｃ〜６ｃ）で連結させる。
（ロ）板１から板７までの孔（１ｂ〜７ｂ）に主軸ネジ９を貫通させてツマミ８に係着さ
せる。
（ハ）板１に設けたコ部１ａに板７を挿入して板１と板７との隙間を少なくする。
（ニ）ツマミ８と主軸ネジ９で各板（板１〜板７）の締めつけにより、中華鍋に使用して
も鍋底の方に落ちていかない。
（ホ）主軸ネジ９とツマミ８を締めたり緩めたりして、必要とする大きさに鍋蓋Ａを調整
して使用する。
（ヘ）主軸ネジ９からツマミ８を着脱するだけで、鍋蓋Ａの分解が容易にでき、いままで
困難であった各板の重なり部分の洗浄が簡単にできて衛生的になった。
（ト）コンパクトになるので収納が便利。また、フライパンの蓋にも使用ができる。
本発明は、以上のような構造でこれを使用するときは。
ツマミ８を左回転させて板１から板７までを緩めて、板１に設けたコ部１ａに板７を挿
入して必要とする大きさに調整してから、ツマミ８を右回転させて板１から板７を締めつ
けて使用する。使用後は、主軸ネジ９からツマミ８を着脱して、各板の洗浄を行うことで
衛生的になった。
【図面の簡単な説明】
【０００８】
【図１】本発明の分解図
【図２】本発明の平面図
【図３】本発明の裏面図
【図４】本発明の正面図
【図５】本発明の縮小平面図
【符号の説明】
【０００９】
Ａ  鍋蓋
Ｂ  １ａの拡大図
１、２、３、４、５、６、７    蓋板
１ａ    コ部
１ｂ、２ｂ、３ｂ、４ｂ、５ｂ、６ｂ、７ｂ    孔
１ｃ、２ｃ、３ｃ、４ｃ、５ｃ、６ｃ    リベット
８    ツマミ
９    主軸ネジ
【図１】
2005124689.tif 000003
【図２】
2005124689.tif 000004
【図３】
2005124689.tif 000005
【図４】
2005124689.tif 000006
【図５】
2005124689.tif 000007